(57)【要約】【課題】複数の用紙サイズを含む印刷ジョブ実行中のペーパーエンドの発生時において、印刷装置の停止時間を短縮し、効率的な印刷装置の運用を可能とする。【解決手段】２以上の異なる用紙サイズが混在する印刷ジョブの実行中において、ある用紙サイズでのペーパーエンドを検知した際、ペーパーエンドが発生した用紙サイズでの未印刷ページに差し替えて、印刷ジョブ中で使用している用紙サイズと異なる用紙サイズからなる代替用紙を排紙して、ペーパーエンドが発生していない用紙サイズでの未印刷ページの印刷を継続する処理（Ｓ１０５〜Ｓ１０９）と、ペーパーエンドが発生した用紙サイズを通知し（Ｓ１１０）、ペーパーエンドが発生した用紙サイズの用紙が補充されたことを検知すると、該用紙サイズでの未印刷ページを印刷する処理（Ｓ１１４〜Ｓ１１５）と、を行う。【選択図】図２
2013141760.tif 000002
【特許請求の範囲】
【請求項１】
異なる用紙サイズの用紙を収納する複数の給紙手段と、
各給紙手段でのペーパーエンドを検知する検知手段と、
ペーパーエンドを通知する通知手段と、
印刷ジョブを実行する印刷制御手段と、を備え、
前記印刷制御手段は、前記複数の給紙手段から給紙される２以上の用紙サイズが混在する印刷ジョブの実行中において、前記検知手段がある用紙サイズでのペーパーエンドを検知した際、
ペーパーエンドが発生した用紙サイズでの未印刷ページに差し替えて、印刷ジョブ中で使用している用紙サイズと異なる用紙サイズからなる代替用紙を排紙して、ペーパーエンドが発生していない用紙サイズでの未印刷ページの印刷を継続し、
かつ、前記通知手段に対しペーパーエンドが発生した用紙サイズを通知し、ペーパーエンドが発生した用紙サイズの用紙が補充されたことを検知すると、該用紙サイズでの未印刷ページを印刷することを特徴とする画像形成装置。
【請求項２】
前記代替用紙は、印刷ジョブ中で使用される全ての用紙サイズよりも、横幅または縦幅が大きい用紙、または横幅および縦幅が大きい用紙であることを特徴とする請求項１に記載の画像形成装置。
【請求項３】
前記通知手段は、ペーパーエンドが発生した用紙サイズと該当する給紙手段とを通知することを特徴とする請求項１または２に記載の画像形成装置。
【請求項４】
前記代替用紙に、該代替用紙に差し替えられた未印刷ページのページ数を印刷することを特徴とする請求項１から３までのいずれかに記載の画像形成装置。
【請求項５】
前記代替用紙に、前記ページ数と共に、印刷ジョブ名、印刷日時、総ページ数の少なくとも１つを印刷することを特徴とする請求項４に記載の画像形成装置。
【請求項６】
前記代替用紙が、印刷ジョブで使用される用紙と異なる色の用紙であることを特徴とする請求項１から５までのいずれかに記載の画像形成装置。
【請求項７】
印刷ジョブの２ページ以上の連続するページについてペーパーエンドが発生した場合における前記代替用紙を１枚とすることを特徴とする請求項１から６までのいずれかに記載の画像形成装置。
【請求項８】
２以上の異なる用紙サイズが混在する印刷ジョブの実行中において、ある用紙サイズでのペーパーエンドを検知した際、
ペーパーエンドが発生した用紙サイズでの未印刷ページに差し替えて、印刷ジョブ中で使用している用紙サイズと異なる用紙サイズからなる代替用紙を排紙して、ペーパーエンドが発生していない用紙サイズでの未印刷ページの印刷を継続する処理と、
ペーパーエンドが発生した用紙サイズを通知し、ペーパーエンドが発生した用紙サイズの用紙が補充されたことを検知すると、該用紙サイズでの未印刷ページを印刷する処理と、を行うことを特徴とする画像形成方法。
【請求項９】
異なる用紙サイズの用紙を収納する複数の給紙手段と、
各給紙手段でのペーパーエンドを検知する検知手段と、
ペーパーエンドを通知する通知手段と、を備えた画像形成装置に、
前記複数の給紙手段から給紙される２以上の用紙サイズが混在する印刷ジョブの実行中において、前記検知手段がある用紙サイズでのペーパーエンドを検知した際、
ペーパーエンドが発生した用紙サイズでの未印刷ページに差し替えて、印刷ジョブ中で使用している用紙サイズと異なる用紙サイズからなる代替用紙を排紙させ、ペーパーエンドが発生していない用紙サイズでの未印刷ページの印刷を継続させる処理と、
前記通知手段に対しペーパーエンドが発生した用紙サイズを通知させ、ペーパーエンドが発生した用紙サイズの用紙が補充されたことを検知すると、該用紙サイズでの未印刷ページを印刷させる処理と、を実行させることを特徴とする画像形成プログラム。
【発明の詳細な説明】
【技術分野】
【０００１】
本発明は、画像形成装置、画像形成方法および画像形成プログラムに関する。さらに詳述すると、複数の用紙サイズが混在する印刷ジョブの実行に関する。
【背景技術】
【０００２】
プリンタ、複写機などの画像形成装置では、一般に、印刷処理中に紙詰まり等の印刷用紙のジャムが発生すると、紙詰まり等を解決する処理を行った後、印刷の再開操作を行うと、引き続き印刷処理を再開する。また、印刷処理中に実行中の印刷ジョブで使用している用紙の用紙切れ（以下、ペーパーエンド）が発生すると、その旨を通知して、用紙の補充がなされたあとに、印刷処理が再開される。
【０００３】
このようなジャムの発生時やペーパーエンドの発生時において、印刷完了後に、ユーザが再印刷ページを確認して、印刷結果にページ抜けや二重印刷がないかを確認することが必要であり、ユーザの負担となっていた。
【０００４】
このような問題について、特許文献１には、同一サイズの用紙を用いる印刷ジョブの印刷中にジャムが発生して印刷動作が停止した場合、ジャム解除後にエラーが発生したページから再印刷を実施する前に、まずジャムが発生したページ前後に関する情報（確認イメージ）を、印刷ジョブで使用している用紙サイズと異なる用紙に印刷してから、ジャムが発生したページ以降の再印刷を実施し、印刷完了後にユーザがジャム発生ページ情報を参照しながら再印刷ページを確認できるようにした画像処理装置が開示されている。
【発明の概要】
【発明が解決しようとする課題】
【０００５】
特許文献１に記載の技術では、ジャムの発生時に、印刷ジョブで使用している用紙サイズと異なるサイズの用紙に、確認イメージを印刷することにより、ユーザがページ抜けや二重印刷を発見しやすいようにしている。
【０００６】
しかしながら、印刷ジョブには、１つの印刷ジョブに複数の用紙サイズが混在する場合がある。特許文献１では、このような用紙サイズが混在する印刷ジョブについて、その途中に確認イメージを印刷することはできず、中断した印刷ジョブの再印刷完了後に確認イメージを印刷することが開示されている。
【０００７】
ここで、用紙サイズが混在する印刷ジョブの印刷中において、ある用紙サイズでペーパーエンドが発生した場合を考える。特許文献１の技術を適用すると、用紙サイズが混在する印刷ジョブにおいては、ある用紙サイズでペーパーエンドが発生した場合に、ペーパーエンド発生時点で当該用紙サイズの用紙が補充されるまで印刷動作が停止し、確認イメージは中断したジョブの再印刷完了後に印刷されることとなる。
【０００８】
このため、ペーパーエンド発生前に印刷したページと、ペーパーエンド発生後に印刷したページ（再印刷ページという）との区別をユーザが付け、確認イメージに基づいて再印刷ページを確認することがわずらわしいという問題が生じる。
【０００９】
そこで本発明は、複数の用紙サイズを含む印刷ジョブの実行中に、あるサイズの用紙にペーパーエンドが発生した場合でも、確認イメージに相当する代替用紙を排紙し、他のサイズの用紙についての後続するページの印刷を継続するとともに、併せて、ペーパーエンドの発生を通知して用紙補充を促すことにより、再印刷ページの確認を容易なものとし、印刷装置の停止時間を短縮させ、効率的な印刷装置の運用を可能とする画像形成装置、画像形成方法および画像形成プログラムを提供することを目的とする。
【課題を解決するための手段】
【００１０】
かかる目的を達成するため、本発明に係る画像形成装置は、異なる用紙サイズの用紙を収納する複数の給紙手段と、各給紙手段でのペーパーエンドを検知する検知手段と、ペーパーエンドを通知する通知手段と、印刷ジョブを実行する印刷制御手段と、を備え、印刷制御手段は、複数の給紙手段から給紙される２以上の用紙サイズが混在する印刷ジョブの実行中において、検知手段がある用紙サイズでのペーパーエンドを検知した際、ペーパーエンドが発生した用紙サイズでの未印刷ページに差し替えて、印刷ジョブ中で使用している用紙サイズと異なる用紙サイズからなる代替用紙を排紙して、ペーパーエンドが発生していない用紙サイズでの未印刷ページの印刷を継続し、かつ、通知手段に対しペーパーエンドが発生した用紙サイズを通知し、ペーパーエンドが発生した用紙サイズの用紙が補充されたことを検知すると、該用紙サイズでの未印刷ページを印刷するものである。
【発明の効果】
【００１１】
本発明によれば、複数の用紙サイズを含む印刷ジョブ実行中のペーパーエンドの発生時において、再印刷ページの確認を容易なものとし、印刷装置の停止時間を短縮させて、効率的な印刷装置の運用を可能とすることができる。
【図面の簡単な説明】
【００１２】
【図１】本発明に係る画像形成装置の一実施形態である印刷装置および印刷システムの概略構成図である。
【図２】印刷装置が実行する印刷制御の一例を示すフローチャートである。
【図３】（Ａ）用紙サイズが混在する印刷ジョブの模式図、（Ｂ）従来の印刷制御例を示す模式図、（Ｃ）本実施形態に係る印刷装置による印刷制御例を示す模式図である。
【発明を実施するための形態】
【００１３】
以下、本発明に係る構成を図１から図３に示す実施の形態に基づいて詳細に説明する。
【００１４】
本実施形態に係る画像形成装置は、異なる用紙サイズの用紙を収納する複数の給紙手段（給紙トレイ１４０，１４１〜１４３）と、各給紙手段でのペーパーエンドを検知する検知手段（ペーパーエンド検知部１１２）と、ペーパーエンドを通知する通知手段（操作パネル１２０）と、印刷ジョブを実行する印刷制御手段（プリンタコントローラ１１０（主に印刷ジョブ制御部１１４）、プリンタエンジン１３０）と、を備え、印刷制御手段は、複数の給紙手段から給紙される２以上の用紙サイズが混在する印刷ジョブの実行中において、検知手段がある用紙サイズでのペーパーエンドを検知した際、ペーパーエンドが発生した用紙サイズでの未印刷ページに差し替えて、印刷ジョブ中で使用している用紙サイズと異なる用紙サイズからなる代替用紙を排紙して、ペーパーエンドが発生していない用紙サイズでの未印刷ページの印刷を継続し、かつ、通知手段に対しペーパーエンドが発生した用紙サイズを通知し、ペーパーエンドが発生した用紙サイズの用紙が補充されたことを検知すると、該用紙サイズでの未印刷ページを印刷するものである。
【００１５】
（印刷装置の構成）
図１は、本発明に係る画像形成装置の一実施形態である印刷装置１０１、および印刷装置１０１を用いて構成される印刷システム１００の概略構成の一例を示している。
【００１６】
印刷装置１０１は、有線または無線のネットワーク１０２を介して複数台のホスト装置（ＰＣ、サーバ等）１０３等と接続されている。
【００１７】
印刷装置１０１は、ホスト装置１０３との通信制御、プリンタエンジン１３０の制御、操作パネル１２０の表示制御等の各種制御を行うプリンタコントローラ１１０と、操作／通知手段としての操作パネル１２０と、用紙への印刷動作を実行するプリンタエンジン１３０と、用紙サイズの異なる用紙を収容する複数の給紙トレイ１４０と、プリンタエンジン１３０による画像形成後の用紙を装置外部へ排出する排紙トレイ１５０と、を備えている。
【００１８】
プリンタコントローラ１１０は、バスラインに接続される演算手段（ＣＰＵ等）、記憶手段（ＲＡＭ、ＲＯＭ等）、入出力インタフェース等のハードウェアにより構成される印刷制御手段である。また、ネットワークＩ／Ｆ制御部１１１、ペーパーエンド検知部１１２、パネル制御部１１３、印刷ジョブ制御部１１４、印刷ジョブ用紙サイズ取得部１１５、エンジンＩ／Ｆ制御部１１６の各部を備えている。
【００１９】
ネットワークＩ／Ｆ制御部１１１は、印刷ジョブの受信等、ネットワーク１０２を介したホスト装置１０３との各種の情報通信を制御する。また、ペーパーエンド検知部１１２は、給紙トレイ１４０やプリンタエンジン１３０の用紙搬送部に設けられるセンサを制御して各給紙トレイ１４１〜１４３のペーパーエンドを検知する。また、ペーパーエンド検知部１１２は、ペーパーエンド発生後に用紙が充填されたかどうかの検知を行う。
【００２０】
また、パネル制御部１１３は、操作パネル１２０への入出力制御を行う。印刷ジョブ制御部１１４は、受信した印刷ジョブを解析し、１ページ毎にプリンタエンジン１３０へ送信する等の印刷制御を行う。印刷ジョブ用紙サイズ取得部１１５は、受信した印刷ジョブの用紙サイズ（用紙サイズが混在する場合は全ての用紙サイズ）を取得して、これをリスト化する。エンジンＩ／Ｆ制御部１１６は、プリンタエンジン１３０での印刷動作を制御する。
【００２１】
操作パネル１２０は、各種の入力や各種の表示を行う液晶タッチパネルや、各種の入力を行うキー操作部を備え、ユーザによる操作パネル１２０の操作を検知して、操作内容に応じた各種制御を行う。また、ペーパーエンド発生時に該当する給紙トレイ１４０および用紙サイズを通知する。
【００２２】
プリンタエンジン１３０は、印刷データを用紙に印刷して出力する画像形成部であり、電子写真方式、インクジェット方式等を用いることができる。また、プリンタコントローラ１１０と協働して印刷制御手段を構成する。また、プリンタエンジン１３０は、給紙トレイ１４０から排紙トレイ１５０まで用紙の搬送を行う用紙搬送部を備えている。用紙搬送部には、用紙の有無を検知するセンサが配置され、ペーパーエンドを検知すると、その旨をペーパーエンド検知部１１２へ通知する。
【００２３】
なお、図１に示す例では、給紙トレイ１４０として、第１給紙トレイ１４１〜第３給紙トレイ１４３の３つの給紙トレイを有する例を示している。また、各給紙トレイ１４１〜１４３に収容される用紙サイズは、給紙トレイ１４０が備えるセンサにより検知するものであっても、操作パネル１２０等により設定されるものであっても良い。
【００２４】
（印刷制御[基本動作]）
次に、印刷時の印刷装置１０１の基本動作について説明する。ホスト装置１０３からネットワーク１０２経由で印刷ジョブが印刷装置１０１へ送信されると、先ず、プリンタコントローラ１１０の印刷ジョブ制御部１１４は、ネットワークＩ／Ｆ制御部１１１を制御して印刷ジョブを受信する。
【００２５】
印刷ジョブを受信した印刷装置１０１は、印刷ジョブ用紙サイズ取得部１１５でその印刷ジョブ中で使用している全用紙サイズを取得し、印刷ジョブ毎にリスト化しておく。なお、用紙サイズのリスト化は、印刷ジョブを全解析することで取得しても良いし、印刷ジョブのヘッダーに用紙サイズについての情報を含めて、印刷ジョブを送信させるようにしても良い。
【００２６】
また、印刷ジョブ制御部１１４は、受信した印刷ジョブを解析していき、１ページ毎にエンジンＩ／Ｆ制御部１１６を通してプリンタエンジン１３０へ送信し、プリンタエンジン１３０で印刷が実行される。
【００２７】
なお、ペーパーエンド検知部１１２がペーパーエンドを検知した場合、印刷ジョブ制御部１１４は、パネル制御部１１３を介して操作パネル１２０にいずれの給紙トレイにいずれのサイズの用紙を補充する必要があるのかを通知する。
【００２８】
（印刷制御[ペーパーエンド発生時]）
図２は、本実施形態に係る印刷装置１０１によるペーパーエンド発生時における印刷処理の一例を示すフローチャートである。図２のフローチャートを参照しつつ説明する。
【００２９】
先ず、印刷装置１０１が、ホスト装置１０３から印刷ジョブの受信を待機し、ネットワークＩ／Ｆ制御部１１１で印刷ジョブを受信すると（Ｓ１０１：ｙｅｓ）、印刷ジョブ用紙サイズ取得部１１５が、当該印刷ジョブ中で使用している全用紙サイズを取得しリスト化する（Ｓ１０２）。
【００３０】
次に、印刷ジョブ制御部１１４は、当該印刷ジョブのページ数を示す内部変数（Ｎとする）として０をセットして（Ｓ１０３）、内部変数Ｎをインクリメントする（Ｓ１０４）。
【００３１】
次に、当該印刷ジョブのＮページ目の印刷が、印刷ジョブ制御部１１４からエンジンＩ／Ｆ制御部１１６を通じてプリンタエンジン１３０へ渡され、実行される（Ｓ１０５）。
【００３２】
当該Ｎページ目の印刷で、ペーパーエンド検知部１１２がペーパーエンドの発生を検知すると（Ｓ１０６：ｙｅｓ）、前ページ（Ｎ−１ページ）でもペーパーエンドが発生しているかどうかを判断する（Ｓ１０７）。なお、Ｓ１０６の処理では、１ページ〜Ｎ−１ページ目まででペーパーエンドが発生したかどうかは考慮せず、あくまでＮページ目でペーパーエンドが発生しているかどうかのみチェックする。
【００３３】
当該判断（Ｓ１０７）において、前ページ（Ｎ−１ページ）でもペーパーエンドが発生していた場合（Ｓ１０７：ｙｅｓ）には、Ｓ１１２へ進む。一方、Ｎ−１ページ目ではペーパーエンドが発生しなかった場合（Ｓ１０７：ｎｏ）は、Ｓ１０８へ進む。
【００３４】
Ｓ１０７の判断をすることによって、連続したページでペーパーエンドが発生した場合でも、ペーパーエンド発生時に代わりに排紙する用紙（以下、代替用紙という）を１枚のみとすることが可能となる。すなわち、例えば、最初にＡ４を５０枚、次にＡ３を２０枚というような印刷ジョブを印刷しようとして、Ａ４が１０枚、Ａ３が２０枚しか印刷装置にセットされていなかった場合、このＳ１０７の処理を入れなかった場合、代替用紙が４０枚も排紙されてしまうことを防ぐことができる。
【００３５】
Ｓ１０２において作成された全用紙サイズのリストから最大用紙サイズを取得し、その用紙よりも縦幅のみ大きい、横幅のみ大きい、縦幅と横幅の両方大きい、のいずれかの用紙が給紙トレイにセットされている場合には（Ｓ１０８：ｙｅｓ）、当該用紙が収容されている給紙トレイ１４０から代替用紙として給紙して、これを排紙トレイ１５０へ排紙する（Ｓ１０９）。
【００３６】
これに対し、大きいサイズの用紙がない場合には（Ｓ１０８：ｎｏ）、印刷を停止する（Ｓ１１１）。なお、大きいサイズの用紙でなくとも代替用紙として排紙することは可能であるが、ユーザが視覚的に認識できることが重要であるため、上記処理としている。
【００３７】
ここで、代替用紙は、ユーザに一見して視覚的に認識させることができるものであることが好ましいため、印刷ジョブ全ページで使用している用紙サイズよりも横サイズ、または縦サイズ、または横および縦の両方のサイズが大きな用紙であることが好ましい。また、代替用紙として色紙（印刷ジョブ全ページで使用している用紙と異なる色の用紙）を用いることも好ましい。
【００３８】
また、画像形成部において、代替用紙に、ペーパーエンドが発生した未印刷のページ数（Ｎ）をエラー発生情報として印刷したうえで排紙することも好ましい。
【００３９】
このように、代替用紙に差し替えられた未印刷ページのページ数を印刷することで、ユーザが容易に並び替えて、正しい順番の印刷結果をえることを可能にすることができる。また、エラー発生情報として、印刷ジョブ名、印刷日時、総ページ数等も適宜併せて選択することも好ましい、エラー発生情報として印刷する項目については、ユーザが操作パネル１２０から設定可能であることが好ましい。
【００４０】
併せて、パネル制御部１１３は、操作パネル１２０にペーパーエンドが発生したページで使用するサイズの用紙を給紙する旨の表示を行う。なお、いずれの給紙トレイ１４０に給紙するのかは、印刷装置１０１の装置構成や、現在使用中の給紙トレイ、今後使用する予定の給紙トレイを考慮し、用紙を給紙しても印刷停止等が発生しないトレイを選択する（Ｓ１１０）。その後、Ｓ１１２の処理に移る。
【００４１】
Ｓ１１２において、Ｎページが印刷ジョブの最終ページである場合（Ｓ１１２：ｙｅｓ）は、印刷ジョブ制御部１１４は、当該印刷ジョブでペーパーエンドの発生があったか否か（Ｓ１０６でｙｅｓになったかどうか）を判断する（Ｓ１１３）。なお、最終ページでない場合（Ｓ１１２：ｎｏ）は、Ｓ１０４の処理へ戻る。
【００４２】
ペーパーエンドが発生していた場合（Ｓ１１３：Ｙｅｓ）は、ペーパーエンド検知部１１２は、操作パネル１２０に通知した用紙サイズが充填されているか否かを判断し（Ｓ１１４）、当該サイズの用紙の充填を検知すると（Ｓ１１４：ｙｅｓ）、ペーパーエンドが発生したページの再印刷を実行して処理は終了する（Ｓ１１５）。
【００４３】
なお、ユーザにより、ペーパーエンドが発生した用紙の充填がされていない場合（Ｓ１１４：ｎｏ）は、給紙が行われるまで待機状態となっている（Ｓ１１４）。
【００４４】
上記印刷制御について、図３の模式図を参照して更に説明する。図３（Ａ）に示すように、１〜８ページ目までの用紙サイズがＡ４で、９〜１０ページ目までの用紙サイズがＡ３の印刷ジョブを印刷する場合について説明する。なお、印刷装置１０１の給紙トレイには、Ａ４用紙が４枚、Ａ３用紙が２枚入っているものとする。
【００４５】
従来の印刷装置では、図３（Ｂ）に示すように、Ａ４用紙が４枚しか入っていないため、４ページ目を印刷した時点でペーパーエンドを検出して印刷を停止し、オペレータが用紙を補充後、５ページ目以降の印刷を行っていた。また、印刷終了後に、エラーが発生したことを表す印刷（エラー発生情報）を実施していた。
【００４６】
これに対し、本実施形態に係る印刷装置１０１によれば、図３（Ｃ）に示すように、Ａ４で４ページ目までを印刷した時点で、ペーパーエンドを検出する。ここまでは、図３（Ｂ）と同じであるが、ここで、その時点では印刷は停止させず、エラーが発生したことを表す印刷（エラー発生情報）を、印刷ジョブで使用しているＡ４／Ａ３用紙よりも大きな用紙（代替用紙）に実施して、ペーパーエンドが発生していないＡ３についての９〜１０ページ目の印刷を実施する。
【００４７】
また、併せて、印刷装置１０１の操作パネル１２０にペーパーエンドが生じた用紙サイズであるＡ４用紙を補充するよう表示を行って、ユーザにその旨を通知する。用紙補充が完了後に、ペーパーエンドが発生した５〜８ページ目の印刷を行って印刷完了となる。なお、用紙補充時には、通常、ペーパーエンド未発生ページの印刷が完了しているが、印刷中である場合は、ペーパーエンド未発生ページの印刷完了後に、補充された用紙サイズについての印刷が実行される。
【００４８】
ユーザはエラー発生情報が印刷された代替ページにより、どこでペーパーエンドが発生したかを知ることができるので、当該代替ページと補充後の印刷ページ（５〜８ページ目）とを置き換えることで、当該印刷ジョブについてのページ抜け、二重印刷のない印刷結果を得ることができる。
【００４９】
以上説明した本実施形態に係る印刷装置１０１によれば、同一印刷ジョブ中で複数の用紙サイズを用いる印刷ジョブの印刷中にペーパーエンドが発生した場合に、ペーパーエンドが発生したページの場所に、印刷ジョブ中で使用しているサイズの用紙よりも大きな用紙を挟み、同一印刷ジョブ中の印刷可能（ペーパーエンドが発生していない用紙サイズの印刷）な後続ページを全て印刷する。また、印刷可能なページを印刷中にペーパーエンド発生ページで使用するサイズの用紙が補充されると、印刷ジョブ中の印刷可能なページが全て印刷完了後に、ペーパーエンド発生ページを印刷する。印刷完了後は、再印刷ページと挟んでいた大きな用紙とを置き換えるだけでページ順序とおりの印刷結果を得ることができる。よって、印刷装置の停止時間をより短くし、効率的に印刷装置を使用することが可能となる。
【００５０】
なお、上記印刷装置１０１が備える各手段１１０〜１１６が実行する印刷制御は、ＣＰＵで実行されるソフトウェア（画像形成プログラム）を印刷装置１０１で実行させることで構成でき、その実行の際に必要なデータは、ＲＡＭ等にロードされる。
【００５１】
尚、上述の実施形態は本発明の好適な実施の例ではあるがこれに限定されるものではなく、本発明の要旨を逸脱しない範囲において種々変形実施可能である。
【符号の説明】
【００５２】
１００  印刷システム
１０１  印刷装置
１０２  ネットワーク
１０３  ホスト装置
１１０  プリンタコントローラ
１１１  ネットワークＩ／Ｆ制御部
１１２  ペーパーエンド検知部
１１３  パネル制御部
１１４  印刷ジョブ制御部
１１５  印刷ジョブ用紙サイズ取得部
１１６  エンジンＩ／Ｆ制御部
１２０  操作パネル
１３０  プリンタエンジン
１４０，１４１〜１４３  給紙トレイ
１５０  排紙トレイ
【先行技術文献】
【特許文献】
【００５３】
【特許文献１】特開２００９−  ７８４７６号公報
【図１】
2013141760.tif 000003
【図２】
2013141760.tif 000004
【図３】
2013141760.tif 000005